(57)【要約】【課題】歯髄または周辺の歯肉などに熱作用による疼痛や炎症などを起こすことなしに安全に、より短い時間で、漂白中に長時間、開口を避けられ、トレーを作成することなしに即日漂白を可能とし、被施術者間の相互感染を防ぐ安全性が確保された光照射装置とする。【解決手段】レーザまたはＬＥＤの照射部に温度センサーを有し、また照射装置内の冷却部により光源の発熱を除熱し、光照射による歯の温度上昇を制御できるマウスピース型の光照射装置と、それに装着される歯型がとれる低硬度の水性ジェルを含んだ交換容易な光照射装置に装着される光透過性のジェルパックである。【選択図】図３
2011217983.tif 000002
【特許請求の範囲】
【請求項１】
歯漂白のためのレーザまたはＬＥＤによるマウスピース型の光照射装置において熱伝導性のよい透光性樹脂、あるいはゴムで充填された照射部に温度センサーを有し、また照射装置内に冷却チャンバーを有し、冷却液体の循環によりレーザまたはＬＥＤの発熱を除熱し、光照射による歯の温度上昇を制御できるマウスピース型の光照射装置
【請求項２】
上記請求項１の装置に覆いかぶせることができ、光マウスピースを滅菌することなしに光を透過、散乱し、熱伝導性が良く、噛んだときに歯型がとれる程度の硬度を有する水性ジェルを有するジェルパック
【請求項３】
上記請求項２のジェルパックにおいて水溶性で光透過性の高い増粘剤、水、光透過性があり熱伝導率の高い無機結晶粉末からなる水性ジェル材質
【発明の詳細な説明】
【技術分野】
【０００１】
本発明は歯漂白を促進するマウスピース型の光照射装置であり、口腔審美に属する歯漂白の技術に関するものである。
【０００２】
【特許文献１】特許公開２００６−２１０４０
【特許文献２】特許公開２００３−２２７９７４
【背景技術】
【０００３】
過酸化水素、過酸化尿素などの漂白剤を含むジェルなどによる医院での、または家庭での歯の漂白は国内外で行われている。こられの漂白剤が塗布された歯にＵＶ，ブルー、赤外の波長の光を照射することにより漂白が促進されより短い時間で施術が完了することもよく知られている。その促進の機序は歯の着色部が光を吸収し発熱し酸化反応が促進されるとことによる。したがって光強度が高いほど漂白はより促進されるが歯の温度が高すぎると歯髄または周辺の歯肉などに対して熱作用による疼痛や炎症をおこすこともありうる。通常の漂白用の照射装置には口腔外から照射する装置が普及しているが漂白中に長時間、開口器で口をあけている状態が強いられる。照射前に印象材で歯型をとり歯型にあうトレーを作成しそのトレーに漂白剤を充填して歯にはめこみ酸化漂白をおこなう。したがってトレーを作成する手間がかかり漂白の手順の複雑化とコスト高を招いている。マウスピースタイプのものでは個人用であればよいが医院用であればマウスピースが口腔内に留置されるためマウスピースを滅菌するか、マウスピースを覆う使い捨てのドレープなどで被施術者間の相互感染を防いでいる。
【発明の開示】
【発明が解決しようとする課題】
【０００４】
第一に歯髄または周辺の歯肉などに熱作用による疼痛や炎症などを起こすことなしに安全に、より短い時間で歯の漂白を可能とする。第二に漂白中に長時間、開口器で口をあけている状態を避けマウスピース型の光照射装置とする。第三にトレーを作成することなしに即日漂白を可能とさせる。第４に患者間の相互感染を防ぐ安全性が確保された光照射装置とする。
【課題を解決するための手段】
【０００５】
以上の課題を解決するための第一の発明は、歯漂白のためのレーザまたはＬＥＤによるマウスピース型の光照射装置において熱伝導性のよい透光性樹脂、あるいはゴムで充填された照射部に温度センサーを有し、また照射装置内に冷却チャンバーを有し、チャンバーに冷却液体が循環することによりレーザまたはＬＥＤの発熱を除熱し、光照射による歯の温度上昇を制御できるマウスピース型の光照射装置である。
第二の発明はマウスピース型の光照射装置を滅菌することなしに光を透過、散乱し、熱伝導性がよく、歯型がとれ、その形状が保持できる程度の低硬度の水性ジェルを含んだ交換容易なジェルパックである。
【発明の効果】
【０００６】
第一に歯髄または周辺の歯肉などに熱作用による疼痛あるいは炎症を起こすことなしに安全に、より短い時間で漂白を可能とし漂白の施術コストを削減し被施術者の施術快適性を向上させることができる。第二に漂白中に長時間、開口器で口をあけている状態を避け施術コストを削減し被施術者の施術快適性を向上させることができる。第三にトレーを作成することなしに即日漂白を可能とし手順を単純にして施術コストと施術の利便性を向上させることが可能となる。第四に被施術者間の相互感染を防ぎマウスピース型の光照射装置の滅菌作業をさけることで安全性と施術準備を単純にすることができる。
【発明を実施するための最良の形態】
【０００７】
マウスピース型の光照射装置は歯面側に１の青色のＬＥＤ光源と３の温度センサーを有し２の熱伝導性のよい透光性ゴムで充填され機密性を有している。ＬＥＤ光源、温度センサーの電源ケーブル、センサーケーブルは６のチューブで１２の温度制御装置と１３の光源電源に接続されている。
マウスピース型の光照射装置は、７の冷却チャンバーを有する。冷却チャンバーには５のチューブを経由して冷却液体が循環されている。冷却液体は１４のラジエータ、１５のファンにより冷却される。１６の循環させるポンプは温度制御器により冷却液体の循環のＯＮ・ＯＦＦい温度制御を行う。マウスピース型の光照射装置に覆って取り付けられるジェルパックは８の水性ジェルコンパートメントとマウスピース型の光照射装置を覆う９の袋部から構成されている。水性ジェルは水溶液性の増粘剤により低硬度に調整されており、噛むことで形状変化し、保持できる硬度を有している。ジェルパックの袋部にマウスピース型の光照射装置を挿入することで簡単に着脱できる。９の袋状の部位がマウスピース型の光照射装置に覆いかぶされ、８の水性ジェルコンパートメント部が１１の歯で噛まれて変形し歯型がとれる。この歯型の部位に１０の漂白剤が充填され再び口腔内に留置され光照射による漂白が施術される。ジェルパックは口腔内で舌の動きを妨げないテーパー上の形状となっている。
【０００８】
＜他の実施形態＞
光源として半導体レーザが使用できる。半導体レーザはＬＥＤと同様、マウスピース型の光照射装置に設置できる小型の発振器が望ましい。また口腔外の唇、顔などに照射する場合、光照射装置の形状はマウスピース型とは異なる形状となる。ジェルパックは歯の漂白では覆いかぶせる袋部を有する必要はなく水性ジェルコンパートメント部のみでよい。水性ジェルコンパートメント部はマウスピース型の光照射装置に取り付けられるものとは異なる形状となる。水性ジェルの硬度は唇、顔の軟組織に合わせマウスピース型の光照射装置に取り付けられるものより低硬度となる。
【実施例】
【０００９】
ＬＥＤは1個あたり４５０ナノメータの青色波長で１５００ｍｗの出力を有する。4個の青ＬＥＤと白金温度センサーは熱伝導性接着剤によりマウスピース型の光照射装置にマウントされている。ＬＥＤの発熱はマウスピース型の光照射装置が冷却されると除熱される。これらＬＥＤと白金温度センサーは熱伝導性のよい透光性シリコンゴムで充填され光照射部は防水の機密性を有している。温度センサーは歯面温度を反映する温度をモニターし、歯面の温度制御をしながら光照射を可能としている。歯面温度が安全な42度Ｃを超えないような温度設定がされている。ＬＥＤ光源、温度センサーの電源ケーブル、センサーケーブルは耐水チューブで温度制御装置と光源電源に接続されている。
ＬＥＤ光源およびマウスピース型の光照射装置全体は熱伝導性が高いアルミニウム製であり、内部の冷却チャンバーにより冷却される。冷却チャンバーには冷却液体が循環されている。冷却液体はラジエータ、ファンにより冷却される。ポンプは温度制御器により設定温度を保つように冷却液体の循環のＯＮとＯＦＦを行う。マウスピース型の光照射装置に覆って取り付けられるジェルパックは伸縮性のあるポリエチレンの薄膜材質からなり、内部に水性ジェルコンパートメントを有している。ジェルパックのジェルコンパートメントは水性ジェルが漏れないよう溶着シールされている。水性ジェルはジェル化したときに光を透過するカルボキシメチルセルロースナトリウムなどの増粘剤を使用する。ジェルは光透過性、熱伝導率の良好な石英、サファイア粉末を重量で１％未満を含有している。粉末は光を反射し水性ジェルに均一に分散させるため光の波長より長い１−１０ミクロンの粒子径である。マウスピース型の光照射装置に装着された水性ジェルパックの水性ジェルコンパートメント部が噛まれて変形し歯型がとれる。ジェルパックが装着されたマウスピース型の光照射装置は一度取り出され、歯型の部位に過酸化水素、過酸化尿素などの漂白剤が充填され再び口腔内に留置され歯型部位に歯をはめ込み、光照射による漂白が施術される。ジェルパックは口腔内で舌の動きを妨げないテーパー上の形状となっている。
【図面の簡単な説明】
【００１０】
【図１】マウスピース型の光照射装置の外観図である。
【図２】マウスピース型の光照射装置の透視図である。
【図３】マウスピース型の光照射装置が口腔内に設置された様子である。
【図４】ジェルパックの外観図である。
【図５】マウスピース型の光照射装置を稼働させるための電気、流体の系統図である。
【図１】
2011217983.tif 000003
【図２】
2011217983.tif 000004
【図３】
2011217983.tif 000005
【図４】
2011217983.tif 000006
【図５】
2011217983.tif 000007
【手続補正書】
【提出日】平成22年10月25日(2010.10.25)
【手続補正１】
【補正対象書類名】特許請求の範囲
【補正対象項目名】請求項１
【補正方法】変更
【補正の内容】
【請求項１】
歯漂白のためのレーザまたはＬＥＤによるマウスピース型の光照射装置において熱伝導性がよく、光を透過あるいは散乱できる複合の樹脂、あるいはゴムで充填された照射部に接触した冷却部を有し、冷却液体の循環あるいはペルチェ冷却素子の冷却により照射部の発熱を除熱し,照射部に配置された温度センサーにより光照射による歯面の温度上昇を防ぎ、温度制御できるマウスピース型の光照射装置
【手続補正２】
【補正対象書類名】特許請求の範囲
【補正対象項目名】請求項２
【補正方法】変更
【補正の内容】
【請求項２】
上記請求項１の装置に覆いかぶせることができ、光マウスピースを滅菌することなしに光を透過あるいは散乱でき、熱伝導性が良く、噛んだときに歯型がとれる程度の硬度を有する水性ジェルを有する歯に対する光漂白用ジェルパック
【手続補正３】
【補正対象書類名】特許請求の範囲
【補正対象項目名】請求項３
【補正方法】変更
【補正の内容】
【請求項３】
上記請求項２のジェルパックにおいて水溶性で光透過性の高い増粘剤、水、光透過性があり熱伝導率の高い無機結晶粉末からなる水性ジェル材質の歯に対する光漂白用ジェルパック
【手続補正４】
【補正対象書類名】明細書
【補正対象項目名】０００５
【補正方法】変更
【補正の内容】
【０００５】
以上の課題を解決するための第一の発明は、レーザまたはＬＥＤによるマウスピース型の光照射装置において熱伝導性がよく、光を透過あるいは散乱できる複合の樹脂、あるいはゴムで充填された照射部に接触した冷却部を有し、冷却液体の循環あるいはペルチェ冷却素子の冷却により照射部の発熱を除熱し,照射部に配置された温度センサーにより光照射による歯面の温度上昇を防ぎ、温度制御できるマウスピース型の光照射装置である。
第二の発明はマウスピース型の光照射装置を滅菌することなしに光を透過、散乱し、熱伝導性がよく、歯型がとれ、その形状が保持できる程度の低硬度の水性ジェルを含んだ交換容易な歯に対する漂白のためのジェルパックである。
【手続補正５】
【補正対象書類名】明細書
【補正対象項目名】０００７
【補正方法】変更
【補正の内容】
【０００７】
マウスピース型の光照射装置は歯面側に１の青色のＬＥＤ光源と３の温度センサーを有し２の光散乱する熱伝導性が高いサファイアなどの透光性無機結晶粒子を含む複合透光性シリコンゴムで充填され機密性を有している。ＬＥＤ光源、温度センサーの電源ケーブル、センサーケーブルは６のチューブで１２の温度制御装置と１３の光源電源に接続されている。
マウスピース型の光照射装置は４の冷却部を有し、７の冷却チャンバーあるいは２０のペルチェ冷却素子を有する。冷却チャンバーには５のチューブを経由して冷却液体が循環されている。冷却液体は１４のラジエータ、１５のファンにより冷却される。１６の循環させるポンプは温度制御器により冷却液体の循環のＯＮ・ＯＦＦい温度制御を行う。マウスピース型の光照射装置に覆って取り付けられるジェルパックは８の水性ジェルコンパートメントとマウスピース型の光照射装置を覆う９の袋部から構成されている。水性ジェルは水溶液性の増粘剤により低硬度に調整されており、噛むことで形状変化し、保持できる硬度を有している。ジェルパックの袋部にマウスピース型の光照射装置を挿入することで簡単に着脱できる。９の袋状の部位がマウスピース型の光照射装置に覆いかぶされ、８の水性ジェルコンパートメント部が１１の歯で噛まれて変形し歯型がとれる。この歯型の部位に１０の漂白剤が充填され再び口腔内に留置され光照射による漂白が施術される。ジェルパックは口腔内で舌の動きを妨げないテーパー上の形状となっている。
【手続補正６】
【補正対象書類名】明細書
【補正対象項目名】０００９
【補正方法】変更
【補正の内容】
【０００９】
ＬＥＤは1個あたり４５０ナノメータの青色波長で１５００ｍｗの出力を有する。4個以上の青色ＬＥＤと白金温度センサーは熱伝導性接着剤によりマウスピース型の光照射装置にマウントされている。ＬＥＤの発熱はマウスピース型の光照射装置が冷却されると除熱される。これらＬＥＤと白金温度センサーは熱伝導性のよいサファイア結晶粉末を含む透光性シリコンゴムで充填され光照射部は防水の機密性を有している。温度センサーは歯面温度を反映する温度をモニターし、歯面の温度制御をしながら光照射を可能としている。歯面温度が安全な体温を超えないような温度設定がされている。ＬＥＤ光源、温度センサーの電源ケーブル、センサーケーブルは耐水チューブで温度制御装置と光源電源に接続されている。
ＬＥＤ光源およびマウスピース型の光照射装置全体は熱伝導性が高いアルミニウム製であり、内部の冷却チャンバーにより冷却される。冷却チャンバーには冷却液体が循環されている。冷却液体はラジエータ、ファンにより冷却される。ポンプは温度制御器により設定温度を保つように冷却液体の循環のＯＮとＯＦＦを行う。マウスピース型の光照射装置に覆って取り付けられるジェルパックは伸縮性のあるポリエチレンの薄膜材質からなり、内部に水性ジェルコンパートメントを有している。ジェルパックのジェルコンパートメントは水性ジェルが漏れないよう溶着シールされている。水性ジェルはジェル化したときに光を透過するカルボキシメチルセルロースナトリウムなどの増粘剤を使用する。ジェルは光透過性、熱伝導率の良好な石英、サファイア粉末を重量で１％未満を含有している。粉末は光を反射し水性ジェルに均一に分散させるため光の波長より長い１−１０ミクロンの粒子径である。マウスピース型の光照射装置に装着された水性ジェルパックの水性ジェルコンパートメント部が噛まれて変形し歯型がとれる。ジェルパックが装着されたマウスピース型の光照射装置は一度取り出され、歯型の部位に過酸化水素、過酸化尿素などの漂白剤が充填され再び口腔内に留置され歯型部位に歯をはめ込み、光照射による漂白が施術される。ジェルパックは口腔内で舌の動きを妨げないテーパー上の形状となっている。
【手続補正７】
【補正対象書類名】明細書
【補正対象項目名】００１０
【補正方法】変更
【補正の内容】
【００１０】
【図１】マウスピース型の光照射装置の外観図である。
【図２】マウスピース型の光照射装置で冷却部が冷却液体循環の透視図である。
【図３】マウスピース型の光照射装置で冷却部がペルチェ冷却素子の透視図である。
【図４】マウスピース型の光照射装置が口腔内に設置された様子である。
【図５】ジェルパックの外観図である。
【図６】マウスピース型の光照射装置を稼働させるための電気、流体の系統図である。
【手続補正８】
【補正対象書類名】図面
【補正対象項目名】図３
【補正方法】変更
【補正の内容】
【図３】
2011217983.tif 000008
【手続補正９】
【補正対象書類名】図面
【補正対象項目名】図４
【補正方法】追加
【補正の内容】
【図４】
2011217983.tif 000009
【手続補正１０】
【補正対象書類名】図面
【補正対象項目名】図５
【補正方法】追加
【補正の内容】
【図５】
2011217983.tif 000010
【手続補正１１】
【補正対象書類名】図面
【補正対象項目名】図６
【補正方法】追加
【補正の内容】
【図６】
2011217983.tif 000011